(57)【要約】【課題】容易かつ低コストで構築することができるプレキャストコンクリート柱部材の柱脚構造を提供すること。【解決手段】プレキャストコンクリート柱部材１は、コンクリート製の柱状部材である中空のコンクリート部２の下端に端板３が備えられて構成されている。基礎部８には、上方に突出して設けられた複数のアンカーボルト９が設けられている。このアンカーボルト９がベース板６の貫通孔５に挿通されナット１０等で締められることで、ベース板６が基礎部８上に固定され、プレキャストコンクリート柱部材１が基礎部８上に立設されている。【選択図】　図１
2004131963.tif 000002
【特許請求の範囲】
【請求項１】
建築物におけるプレキャストコンクリート柱部材の柱脚構造であって、
前記建築物の基礎部には、上方に突出するアンカーボルトが設けられ、
前記プレキャストコンクリート柱部材の下端には、前記アンカーボルト用の貫通孔を有するベース板が接合されており、
前記ベース板が前記アンカーボルトによって前記基礎部に接合されていることを特徴とするプレキャストコンクリート柱部材の柱脚構造。
【請求項２】
一端側が前記基礎部に埋設され他端側が前記基礎部の上方に突出した鉄筋を更に備え、前記他端側は前記プレキャストコンクリート柱部材の中空部に挿入され前記プレキャストコンクリート柱部材と結合していることを特徴とする請求項１記載のプレキャストコンクリート柱部材の柱脚構造。
【請求項３】
前記ベース板と前記基礎部との接合部は、前記基礎部の上端より下方に位置していることを特徴とする請求項１または２記載のプレキャストコンクリート柱部材の柱脚構造。
【請求項４】
建築物におけるプレキャストコンクリート柱部材の柱脚構造であって、
前記プレキャストコンクリート柱部材の下端から鉄筋が突出しており、
前記建築物の基礎部には、前記鉄筋挿入用の挿入穴が設けられており、
前記鉄筋挿入後の前記挿入穴に充填材が充填されることで前記プレキャストコンクリート柱部材が前記基礎部に接合されていることを特徴とするプレキャストコンクリート柱部材の柱脚構造。
【発明の詳細な説明】
【０００１】
【発明の属する技術分野】
本発明は、建築物におけるプレキャストコンクリート柱部材の柱脚構造に関するものである。
【０００２】
【従来の技術】
従来のプレキャストコンクリート柱部材の柱脚構造としては、基礎部に脚部柱を設置し、この脚部柱の上面から突出した複数の主筋を柱本体部の主筋の下端に設けたスリーブの開口部に挿入し、グラウト材等の充填材を注入して脚部柱と柱本体部とを接続固定するものが知られている（例えば、特許文献１参照。）。
【０００３】
その他としては、基礎部に設置された杭材の上にプレキャストコンクリート柱部材の下端に備えられた板部材を溶接することで連結し、プレキャストコンクリート柱部材を立設する構造も考えられる。
【０００４】
【特許文献１】
特開２００２−４７７３２号公報（第３−４頁、第１図）
【０００５】
【発明が解決しようとする課題】
しかしながら、上記の柱脚構造は、基礎部に脚部柱や杭材などが設けられなければ適用できないため、施工が煩雑になると共に、コストも高くなる。
【０００６】
本発明の目的は、容易かつ低コストで構築することができるプレキャストコンクリート柱部材の柱脚構造を提供することである。
【０００７】
【課題を解決するための手段】
本発明は、建築物におけるプレキャストコンクリート柱部材の柱脚構造であって、建築物の基礎部には、上方に突出するアンカーボルトが設けられ、プレキャストコンクリート柱部材の下端には、アンカーボルト用の貫通孔を有するベース板が接合されており、ベース板がアンカーボルトによって基礎部に接合されていることを特徴とするものである。
【０００８】
このようなプレキャストコンクリート柱部材の柱脚構造は、プレキャストコンクリート柱部材の下端に備えられたベース板を基礎部に設けたアンカーボルトで固定するようになっているため、基礎部の構造にかかわらずプレキャストコンクリート柱部材を立設することができる。これにより、プレキャストコンクリート柱部材を基礎部上に容易かつ低コストで立設することが可能となる。
【０００９】
好ましくは、一端側が基礎部に埋設され他端側が基礎部の上方に突出した鉄筋を更に備え、他端側はプレキャストコンクリート柱部材の中空部に挿入されプレキャストコンクリート柱部材と結合している。これにより、プレキャストコンクリート柱部材の柱脚の機械的強度や耐久性が増し、より安定した状態でプレキャストコンクリート柱部材を基礎部上に立設することができる。
【００１０】
また、ベース板と基礎部との接合部は、基礎部の上端より下方に位置しているのが好ましい。これにより、ベース板と基礎部との接合部が基礎部と一体化するため、プレキャストコンクリート柱部材の柱脚の機械的強度や耐久性が増し、より安定した状態でプレキャストコンクリート柱部材を基礎部上に立設することができる。
【００１１】
また、本発明は、建築物におけるプレキャストコンクリート柱部材の柱脚構造であって、プレキャストコンクリート柱部材の下端から鉄筋が突出しており、建築物の基礎部には、鉄筋挿入用の挿入穴が設けられており、鉄筋挿入後の挿入穴に充填材が充填されることでプレキャストコンクリート柱部材が基礎部に接合されていることを特徴とするものである。
【００１２】
このようなプレキャストコンクリート柱部材の柱脚構造は、基礎部に設けられた挿入穴にプレキャストコンクリート柱部材の鉄筋を挿入させて固定させる構造であるため、基礎部の構造にかかわらずプレキャストコンクリート柱部材を立設することができる。これにより、プレキャストコンクリート柱部材を基礎部上に容易かつ低コストで立設することが可能となる。
【００１３】
【発明の実施の形態】
以下、本発明にかかるプレキャストコンクリート柱部材の柱脚構造の好適な実施形態について図面を参照して説明する。尚、同一要素には同一符号を用いるものとし、重複する説明は省略する。
【００１４】
図１は、本発明の第１実施形態に係るプレキャストコンクリート柱部材の柱脚構造を示す図であり、図２は、図１に示すプレキャストコンクリート柱部材の柱脚構造のＩＩ−ＩＩ断面矢視図である。プレキャストコンクリート柱部材（以下、「柱部材」と略す）１は、コンクリート製の柱状部材である中空のコンクリート部２の下端に端板３が備えられて構成されている。この柱部材１は、例えば遠心成形によって製造される。
【００１５】
端板３には、コンクリート部２の外周に沿って配される補強バンド４が接合されている。また、端板３には、複数の貫通孔５が形成されたベース板６が接合されている。このベース板６は、図２に示すように、例えば矩形状に形成され、柱部材１の断面積より大きく、柱部材１の周囲に張り出して接合される。そして、その張り出した部分に貫通孔５が形成されている。
【００１６】
図３は、図２に示す柱部材１を示すＩＩＩ−ＩＩＩ部分断面矢視図である。端板３の端部は、外周に沿って角部７が面取りされており、この角部７において円周方向に突合せ溶接することによってベース板６と接合されている。
【００１７】
図１、２に戻り、基礎部８には、上方に突出して設けられた複数のアンカーボルト９が設けられている。このアンカーボルト９がベース板６の貫通孔５に挿通されナット１０等で締められることで、ベース板６が基礎部８上に固定され、柱部材１が基礎部８上に立設されている。
【００１８】
このような柱脚構造を構築する場合は、まず、基礎部８にアンカーボルト９を設置する。そして、工場などであらかじめ製造した柱部材１のベース板６をアンカーボルト９によって基礎部８に固定することで柱部材１を基礎部８上に立設する。このとき、基礎部８に対する柱部材１の安定度、固定度の向上を図るために、基礎部８とベース板６との間には、無収縮モルタル１１等を充填する。尚、コンクリート部２内には、鉄筋や緊張材などの補強部材が埋設されているが図では省略している。また、図中、二点鎖線Ｘは、建築物のスラブ（床面）上端位置を示し、実線Ｙは、基礎部８の上端面を示している。
【００１９】
以上のようにして構築された柱部材１の柱脚構造は、基礎部の構造にかかわらず柱部材１を立設することができるため、柱部材１を基礎部上に容易かつ低コストで立設することが可能となる。このため、短工期、低コストが求められる低層建物に最適となる。
【００２０】
図４は、本発明の第２実施形態に係るプレキャストコンクリート柱部材の柱脚構造を示す断面図であり、図５は、図４に示すプレキャストコンクリート柱部材の柱脚構造のＶ−Ｖ断面矢視図である。本実施形態の柱脚構造は、第１実施形態の柱脚構造において、一端側が基礎部８に埋設され他端側が基礎部８の上方に突出した補強鉄筋２０が更に備えられている。そして、この補強鉄筋２０における基礎部８の上方に突出した部分は、柱部材１の中空部２１に挿入されており、コンクリート２２等が充填されることで柱部材１と結合されている。中空部２１は、コンクリート部２の軸方向に貫通して形成され、コンクリート部２の両端で開口している。
【００２１】
このような柱脚構造を構築する場合は、まず、補強鉄筋２０と複数のアンカーボルト９とをそれぞれ一端側を上方に突出させて基礎部８に設置する。このとき補強鉄筋２０は、柱部材１の中空部２１に対応する位置に配する。次に、工場などであらかじめ製造した柱部材１のベース板６をアンカーボルト９によって基礎部８に固定することで柱部材１を基礎部８上に立設する。基礎部８とベース板６との間には、無収縮モルタル１１等を充填する。そして、柱部材１の中空部２１内に、コンクリート２２を充填して補強鉄筋２０を埋設する。尚、ベース板６は、補強鉄筋２０が挿入する中央部分が貫通されている。また、本実施形態においても、コンクリート部２内には鉄筋や緊張材などの補強部材が埋設されているが図では省略している。
【００２２】
以上のようにして構築された柱脚構造は、柱部材１と基礎部８とが補強鉄筋２０によって結合された構造であるため、柱部材１の柱脚の機械的強度や耐久性が増し、より安定した状態で柱部材１を基礎部８上に立設することができる。
【００２３】
また、柱部材１の中空部２１を利用して柱脚部分の補強をするため、柱脚部分を大きくすることなく、強度を高めることができる。
【００２４】
図６は、本発明の第３実施形態に係るプレキャストコンクリート柱部材の柱脚構造を示す図であり、図７は、図６に示すプレキャストコンクリート柱部材の柱脚構造のＶＩＩ−ＶＩＩ断面矢視図である。本実施形態の柱脚構造は、第１実施形態の柱脚構造において、ベース板６の基礎部８への接合部が、基礎部８の上端面Ｙより下方に位置している。
【００２５】
基礎部８は、上端面Ｙより下方にフーチング等の柱受け用基礎３０を備えており、この柱受け用基礎３０には、複数のアンカーボルト９が上方に突出して設けられている。そして、このアンカーボルト９がベース板３１の貫通孔５に挿通されて柱受け用基礎３０上にベース板３１が固定されることで柱部材１が立設されている。ベース板３１は、前記実施形態におけるベース板６よりも小さく、柱部材１の下端に部分的に接合されており、柱部材１の周囲から張り出した部分に貫通孔５が形成されている。
【００２６】
このような柱脚構造を構築する場合は、まず、基礎部８の上端面Ｙより下方に、アンカーボルト９を備えた柱受け用基礎３０を設置する。柱部材１は、あらかじめ工場などで製造するが、その際、下端に接合するベース板３１は柱部材１の下端に部分的に接合する。そして、柱部材１のベース板３１をアンカーボルト９によって基礎部８に固定することで柱部材１を基礎部８上に立設する。基礎部８とベース板３１との間には、無収縮モルタル１１等を充填する。
【００２７】
以上のようにして構築された柱脚構造は、ベース板３１と基礎部８との接合部が基礎部８と一体化している。これにより、柱部材１の柱脚の機械的強度や耐久性が増し、より安定した状態で柱部材１を基礎部８上に立設することができる。また、ベース板３１を柱部材１の下端に部分的に設けるだけでよいため、加工が容易となり、コストも低減させることができる。
【００２８】
図８は、本発明の第４実施形態に係るプレキャストコンクリート柱部材の柱脚構造を示す図であり、図９は、図８に示すプレキャストコンクリート柱部材の柱脚構造のＩＸ−ＩＸ断面矢視図である。
【００２９】
本実施形態の柱脚構造では、柱部材１のコンクリート部２において、異形鉄筋等の複数の鉄筋４１が下端から突出して埋設されている。また、柱部材１の下端には、ベース板４５が接合されている。基礎部４２には、複数の挿入穴４３が設けられており、鉄筋４１がそれぞれ挿入されている。そして、鉄筋４１が挿入された挿入穴４３には無収縮モルタル等の充填材４４が充填されており、基礎部４２に対して柱部材４０が立設している。
【００３０】
このような柱脚構造を構築する場合は、まず、基礎部４２に複数の挿入穴４３を形成する。柱部材４０はあらかじめ工場などで製造するが、その際、鉄筋４１は、コンクリート部２の下端から突出させて埋設する。この鉄筋４１の突出した部分を基礎部４２の挿入穴４３に挿入し、挿入穴４３内に充填材４４を充填する。この充填材４４は、ベース板４５と基礎部４２の上端面との間にも配されるように充填する。尚、挿入穴４３に充填材４４を充填させる工程の前において、ベース板４５と基礎部４２の上端面との間に位置合わせ用のモルタルを配して、柱部材４０の位置調整を行ってもよい。
【００３１】
以上のようにして構築された柱脚構造は、基礎部８にあらかじめ杭材等の部材が設けられている必要が無くとも柱部材１を立設することができるため、柱部材１を基礎部８上に容易かつ低コストで立設することが可能となる。
【００３２】
尚、挿入穴４３の内壁には、鉄筋４１の充填材４４に対する付着強度を高めるため、鉄筋４１の挿入方向に対して交差する方向に溝などの凹凸が形成されているのが望ましい。
【００３３】
以上、本発明を実施形態に基づき具体的に説明したが、本発明は上記実施形態に限定されるものではない。例えば、第１、３，４実施形態において、柱部材１は、中空に限らず中実であってもよい。
【００３４】
【発明の効果】
本発明は、プレキャストコンクリート柱部材の下端に備えられたベース板を基礎部に設けたアンカーボルトで固定する構造、或いはプレキャストコンクリート柱部材の鉄筋を基礎部に設けられた挿入穴に挿入させて固定させる構造であるため、基礎部の構造にかかわらずプレキャストコンクリート柱部材を立設することができ、プレキャストコンクリート柱部材を基礎部上に容易かつ低コストで立設することが可能となる。
【図面の簡単な説明】
【図１】本発明の第１実施形態に係るプレキャストコンクリート柱部材の柱脚構造を示す図である。
【図２】図１に示すプレキャストコンクリート柱部材の柱脚構造のＩＩ−ＩＩ断面矢視図である。
【図３】図２に示す柱部材を示すＩＩＩ−ＩＩＩ部分断面矢視図である。
【図４】本発明の第２実施形態に係るプレキャストコンクリート柱部材の柱脚構造を示す断面図である。
【図５】図４に示すプレキャストコンクリート柱部材の柱脚構造のＶ−Ｖ断面矢視図である。
【図６】本発明の第３実施形態に係るプレキャストコンクリート柱部材の柱脚構造を示す図である。
【図７】図６に示すプレキャストコンクリート柱部材の柱脚構造のＶＩＩ−ＶＩＩ断面矢視図である。
【図８】本発明の第４実施形態に係るプレキャストコンクリート柱部材の柱脚構造を示す図である。
【図９】図８に示すプレキャストコンクリート柱部材の柱脚構造のＩＸ−ＩＸ断面矢視図である。
【符号の説明】
１…柱部材（プレキャストコンクリート柱部材）、２…コンクリート部、３…端板、４…補強バンド、５…貫通孔、６…ベース板、８…基礎部、９…アンカーボルト、１１…無収縮モルタル（充填材）、２０…補強鉄筋（鉄筋）、３１…ベース板、４０…柱部材、４１…鉄筋、４２…基礎部、４３…挿入穴、４４…充填材、４５…ベース板。
【図１】
2004131963.tif 000003
【図２】
2004131963.tif 000004
【図３】
2004131963.tif 000005
【図４】
2004131963.tif 000006
【図５】
2004131963.tif 000007
【図６】
2004131963.tif 000008
【図７】
2004131963.tif 000009
【図８】
2004131963.tif 000010
【図９】
2004131963.tif 000011